(57)【要約】  家庭日用品製品はフレグランス組成物を含む。フレグランス組成物は、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールから選択される化学感覚剤を含む。とりわけ、家庭日用品製品は、好ましくはエアフレッシュナーディスペンサー装置、床クリーナー、台所またはバスルーム用サーフェスクリーナー、トイレリムブロック、あるいはトイレ貯水槽ブロックである。【特許請求の範囲】
【請求項１】
フレグランス組成物を含む家庭日用品製品であって、前記フレグランス組成物が、前記フレグランス組成物の総重量基準で、バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）、エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、およびイソプレゴール（ＣＡＳ  ７７８６−６７−６およびＣＡＳ  ８９−７９−２）からなる群より選択される少なくとも１つの化学感覚剤を約０．０１から１０重量％未満含む、家庭日用品製品。
【請求項２】
前記フレグランス組成物が、前記フレグランス組成物の総重量基準で、バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）、エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、およびイソプレゴール（ＣＡＳ  ７７８６−６７−６およびＣＡＳ  ８９−７９−２）からなる群より選択される少なくとも１つの化学感覚剤を約０．０１から約５重量％含む、請求項１に記載の家庭日用品製品。
【請求項３】
前記化学感覚剤が、バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）、およびそれらの混合物から選択される温感剤である、請求項１または請求項２に記載の家庭日用品製品。
【請求項４】
前記温感剤が、２−エトキシ−４−（ヒドロキシメチル）フェノール（ＣＡＳ  ４９１２−５８−７）、バニリン（ＣＡＳ  １２１−３３−５）、エチルバニリン（ＣＡＳ  １２１−３２−４）、バニリルイソブチラート（ＣＡＳ  ２０６６５−８０−４）、ベルトール（ＣＡＳ  １１８−７１−８）、ベルトールプラス（ＣＡＳ  ４９４０−１１−８）、シンナムアルデヒド（ＣＡＳ  １０４−５５−２）、ベルテネックス（ＣＡＳ  ３２２１０−２３−４）、クマリン（ＣＡＳ  ９１−６４−５）、オルビトン（ＣＡＳ  ５５４６４−５７−２、ＣＡＳ  ６８１５５−６６−８、およびＣＡＳ  ６８１５５−６７−９）、およびバクダノール（ＣＡＳ  ２８２１９−６１−６およびＣＡＳ  １６４２０３−４６−７）からなる群より選択される少なくとも１つの補完的な化合物と組合される、請求項３に記載の家庭日用品製品。
【請求項５】
前記化学感覚剤が、エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、イソプレゴール（ＣＡＳ  ７７８６−６７−６およびＣＡＳ  ８９−７９−２）、およびそれらの混合物からなる群より選択されるピリピリ感剤である、請求項１または請求項２に記載の家庭日用品製品。
【請求項６】
前記ピリピリ感剤が、シトラール（ＣＡＳ  ５３９２−４０−５）、１，４−シネオール（ＣＡＳ  ４６０−６７−７）、ガンマ−テルピノレン（ＣＡＳ  ６９０７３−３８−７）、および（＋）−ヌートカトン（ＣＡＳ  ４６７４−５０−４）からなる群より選択される少なくとも１つの補完的な化合物と組合される、請求項５に記載の家庭日用品製品。
【請求項７】
エアフレッシュナーディスペンサー装置である、請求項１から６のいずれか１項に記載の家庭日用品製品。
【請求項８】
スプレー、ディフューザー、ゲル、キャンドル、ワックス、ワックスメルト、ポットポプリ、含浸紙、および積層カードボードから選択される受動蒸発装置である、請求項７に記載の家庭日用品製品。
【請求項９】
電動エアフレッシュナーディスペンサー装置である、請求項８に記載の家庭日用品製品。
【請求項１０】
プラグまたは電圧素子装置である、請求項９に記載の家庭日用品製品。
【請求項１１】
加熱要素を含む、請求項９または１０に記載の家庭日用品製品。
【請求項１２】
床クリーナーである、請求項１から７のいずれか１項に記載の家庭日用品製品。
【請求項１３】
台所またはバスルーム用サーフェスクリーナーである、請求項１から７のいずれか１項に記載の家庭日用品製品。
【請求項１４】
トイレリムブロックまたはトイレ貯水槽ブロックである、請求項１から７のいずれか１項に記載の家庭日用品製品。
【請求項１５】
バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）の少なくとも１つの、または請求項３、４、および７から１４のいずれか１項において定義された家庭日用品製品の、知覚される温感を、空気を介して送達するための薬剤としての使用。
【請求項１６】
エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、イソプレゴール（ＣＡＳ  ７７８６−６７−６およびＣＡＳ  ８９−７９−２）の少なくとも１つの、または請求項５から１４のいずれか１項において定義された家庭日用品製品の、知覚されるピリピリ感を、空気を介して送達するための薬剤としての使用。
【請求項１７】
知覚される温感およびピリピリ感を、空気を介して送達するための方法であって、
−バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、およびバニリルブチルエーテル（ＣＡＳ  ８２６５４−９８−６）からなる群より選択される少なくとも１つの温感剤を、
−エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、およびイソプレゴール（ＣＡＳ  ７７８６−６７−６およびＣＡＳ  ８９−７９−２）からなる群より選択される少なくとも１つのピリピリ感剤と同時に、
または、温感剤およびピリピリ感剤の双方を含む、請求項１から１４のいずれか１項において定義された家庭日用品製品を、空気中に分散させることを含む方法。
【請求項１８】
知覚される温感を、空気を介して送達するための方法であって、バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）の少なくとも１つ、または請求項３、４、および７から１４のいずれか１項において定義された家庭日用品製品を、空気中に分散させることを含む方法。
【請求項１９】
知覚されるピリピリ感を、空気を介して送達するための方法であって、エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、イソプレゴール（ＣＡＳ  ７７８６−６７−６およびＣＡＳ  ８９−７９−２）の少なくとも１つ、または請求項５から１４のいずれか１項において定義された家庭日用品製品を、空気中に分散させることを含む方法。
【発明の詳細な説明】
【技術分野】
【０００１】
本発明は、フレグランス組成物を含む家庭日用品製品に関するものであり、前記フレグランス組成物は、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される化学感覚（ｃｈｅｍａｅｓｔｈｅｔｈｉｃ）剤を含み、知覚される温感および／またはピリピリ（ｔｉｎｇｌｉｎｇ）感を、空気を介して送達できるが、製品自体が被験者の皮膚または粘膜と直接接触することはなく、また製品が鼻に近接している必要もない。特に、本発明の家庭日用品製品は、エアフレッシュナーディスペンサー装置、床クリーナー、トイレリムブロック、またはトイレ貯水槽ブロックである。本発明はまた、知覚される温感および／またはピリピリ感を空気を介して送達するための方法にも関する。
【背景技術】
【０００２】
家および閉じた公共建物において空気中の悪臭を低減またはマスクするためのエアケア製品が市販されている。Ｓ．Ｃ．ジョンソン（Ｊｏｈｎｓｏｎ）は、商品名グレード（ＧＬＡＤＥ（登録商標））で製品を販売しており、レキットベンキーザー（Ｒｅｃｋｉｔｔ−Ｂｅｎｃｋｉｓｅｒ）は、商品名エアウィック（ＡＩＲ  ＷＩＣＫ（登録商標））で製品を販売しており、またプロクター・アンド・ギャンブル（Ｐｒｏｃｔｅｒ＆Ｇａｍｂｌｅ）は、商品名ファブリーズ（ＦＥＢＲＥＺＥ（登録商標））およびアンビプール（ＡＭＢＩＰＵＲ（登録商標））で製品を販売している。エアフレッシュナー組成物は、特許文献、例えば特許文献１；特許文献２；特許文献３；特許文献４；および特許文献５において、広く記載されている。これらの製品はいくつかの形態をとってもよく、例えば、それらは使用者の自由裁量で特定の場所に対して適用可能な、エアゾールスプレーまたはトリガースプレーなどの定方向の装置であってもよく、あるいはそれらは部屋用の一般的なエアフレッシュナー、例えば自動スプレー、プラグイン電気装置、および、ゲル、キャンドル、ワックスメルト、またはリードディフューザーなどのディフュージョン装置であってもよい。別の群の蒸気分配装置は、蒸発可能な組成物で含浸または被覆されたペーパーボードなどの担体材料を使用する。製造業者らは常に、これらの製品の機能性を改善して、悪臭低減、防虫性、または飽きさせないための香りの変更など、さらに利便性を高めようと努めている。
【０００３】
化学感覚は、皮膚及び粘膜の化学的感受性として定義される。化学感覚的知覚は、化学化合物が、感触および熱の知覚を媒介する別の感覚に関連する受容体を活性化するときに生じる。感覚は、通常、冷感、温感、またはピリピリ感として記載される。
【０００４】
化学感覚剤は、例えば、感覚経験を増強するために消費者製品に添加されてもよい。かかる製品の典型的な例は、食用および携帯型の組成物、例えば、
−飲料、菓子、およびチューインガム；
−トイレタリー用品、例えばアフターシェーブローション、シェービングクリーム、ゲルおよびフォーム、防臭剤および制汗剤、化粧石鹸、バスオイルおよびソルト、シャンプー、ヘアコンディショナー、ボディウォッシュ、リップスティック、ヘアオイル、タルカムパウダー、フェイスクリーム、ハンドクリーム、サンバーンローション、クレンジングティッシュ、歯磨剤、およびマウスウォッシュ；
−防腐軟膏、リニメント剤、ローション、うっ血除去剤、咳止め薬、のど飴、消化不良剤、および経口鎮痛剤を含む、医薬製品および同類の組成物
である。
【０００５】
広範囲の化学感覚剤が、特定の製品用途に適合する感覚を送達するために開発されてきた。例えば、冷感剤として幅広い低揮発性炭素３置換パラメンタンを記載する特許文献１およびその引用文献、あるいは食品、医薬品、またはパーソナルケア製品におけるそれらの使用のための冷感、温感、およびピリピリ感を記載する特許文献６を参照のこと。
【先行技術文献】
【特許文献】
【０００６】
【特許文献１】英国特許出願公告第１３１５６２６号明細書
【特許文献２】米国特許第６２６７２９７号明細書
【特許文献３】米国特許第４８１４２１２号明細書
【特許文献４】米国特許第６０３６９２５号明細書
【特許文献５】米国特許出願公開第２００７／０１２２３７３号明細書
【特許文献６】米国特許第６８９０５６７号明細書
【発明の概要】
【発明が解決しようとする課題】
【０００７】
既知の化学感覚剤は、皮膚に直接塗布されるか、または皮膚に近接して使用されることを必要とする。それらの多くは強い匂いをもち、全く心地よいわけではない可能性があり、また常に他のフレグランスノートと調和してブレンドされるわけではない可能性がある。加えて、化学感覚剤を消費者製品に取込むことは技術的に難しくない一方で、生じ得る有害な感覚の可能性についてはいくつかの懸念がある。より広範囲の消費者製品において化学感覚剤を使用することの課題の１つは、身体の異なる部分で特定の濃度の化学感覚剤に対する感覚が変わることである。１つの用量において心地よい温感またはピリピリ感が、より高い用量では、または身体のより感受性のある部位に適用された場合には、痛みを伴う感覚となることがある。例えば、胴の皮膚に接したＴシャツの上で心地よく感じられる用量で化学感覚剤を添加することは、同じ用量を含有するタオルが目の周りを乾かすために使われる場合には痛みを伴う経験になるかもしれない。それ故、皮膚に直接塗布するのではなく、または口および鼻に近接して使用せずに、化学感覚剤を様々な消費者製品に添加する試みはあるが、それらは一般に、真の化学感覚効果を提供するべく配合されていない。しばしば、その素材は低用量で使用され、連想によって化学感覚効果をほのめかすに過ぎない。
【課題を解決するための手段】
【０００８】
本発明は、少なくとも１つの化学感覚剤をベースとするフレグランス組成物を含む家庭日用品製品であって、該化学感覚剤が、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択され、それらの全てが充分に揮発性であって、フレグランスとともに蒸発しかつ知覚される温感および／またはピリピリ感を、空気を介し送達するようにする、家庭日用品製品を提供する。実際、これらの化学感覚剤の１つがフレグランス組成物中に配合される場合、組成物の匂いをかいでいる人は、空気がより温かいと知覚する、および／またはピリピリ感を知覚することが見出されてきた。かかるフレグランス組成物を含む家庭日用品製品は、それ故消費者に利益を提供することができる。本発明の状況においては、家庭日用品製品は、非摂取および非局所適用製品である。さらに、化学感覚剤自体の匂いが原因で狭い範囲のフレグランスノートに制限されることを避けるため、本発明の組成物は許容される匂いの化学感覚剤であり、かつ広範囲のフレグランス組成物に適合する。
【０００９】
したがって、第１の態様においては、本発明はフレグランス組成物を含む家庭日用品製品であって、前記フレグランス組成物が、フレグランス組成物の総重量基準で、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される少なくとも１つの化学感覚剤を約０．０１から１０重量％未満含む、家庭日用品製品に関する。
【００１０】
別の態様においては、本発明は、各々がフレグランス組成物を含む、エアフレッシュナーディスペンサー装置、床クリーナー、台所またはバスルーム用サーフェスクリーナー、トイレリムブロック、あるいはトイレ貯水槽ブロックに関する。
【００１１】
本発明はまた、バニリルエチルエーテル、バニリルｎ−プロピルエーテル、バニリルイソプロピルエーテル、バニリルブチルエーテルの少なくとも１つの、またはこれらの化合物の１つを含む本発明の家庭日用品製品の、知覚される温感を、空気を介して送達するための薬剤としての使用にも関する。
【００１２】
本発明はまた、エレモール、エリミシン、ライムオキシド、オシメンクイントオキシド、２−イソプロペニル−５−メチル−５−ビニルテトラヒドロフラン、イソプレゴールの少なくとも１つの、またはこれらの化合物の１つを含む本発明の家庭日用品製品の、知覚されるピリピリ感を、空気を介して送達するための薬剤としての使用にも関する。
【００１３】
本発明はまた、バニリルエチルエーテル、バニリルｎ−プロピルエーテル、バニリルイソプロピルエーテル、バニリルブチルエーテルの少なくとも１つを、またはこれらの化合物の１つ以上を含む本発明の家庭日用品製品を、空気中に分散させることにより、知覚される温感を、空気を介して送達するための方法にも関する。
【００１４】
最後に、本発明はまた、エレモール、エリミシン、ライムオキシド、オシメンクイントオキシド、２−イソプロペニル−５−メチル−５−ビニルテトラヒドロフラン、イソプレゴールの少なくとも１つを、またはこれらの化合物の１つ以上を含む本発明の家庭日用品製品を、空気中に分散させることにより、知覚されるピリピリ感を、空気を介して送達するための方法にも関する。
【発明の効果】
【００１５】
本発明においては、知覚される温感および／またはピリピリ感を、空気を介して送達することが可能であるが、製品自体が被験者の皮膚または粘膜と直接接触することはなく、また製品が鼻に近接している必要もない
【図面の簡単な説明】
【００１６】
【図１】図１は、実施例１の温感知覚試験の結果を示す図である。
【図２】図２は、実施例２のピリピリ感知覚試験の結果を示す図である。
【発明を実施するための形態】
【００１７】
第１の態様によれば、本発明はフレグランス組成物を含む家庭日用品製品であって、前記フレグランス組成物が、フレグランス組成物の総重量基準で、バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、バニリルブチルエーテル（ＣＡＳ  ８２６５４−９８−６）、エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（シトロキサイド）（ＣＡＳ  ７４１６−３５−５）、２−イソプロペニル−５−メチル−５−ビニルテトラヒドロフラン（ＣＡＳ  １３６７９−８６−２）、およびイソプレゴール（ＣＡＳ  ７７８６−６７−６およびＣＡＳ  ８９−７９−２）からなる群より選択される少なくとも１つの化学感覚剤を約０．０１から１０重量％未満、好ましくは約０．０１から５重量％未満含む、家庭日用品製品に関する。
【００１８】
エレモール（２−（４−エテニル−４−メチル−３−（プロパ−１−エン−２−イル）シクロヘキシルプロパン−２−オール）は、天然由来か合成品であるかに応じて、いくつかの立体化学異性体として存在する。本発明の意味においては、用語エレモールは、２−（４−エテニル−４−メチル−３−（プロパ−１−エン−２−イル）シクロヘキシルプロパン−２−オールの全ての立体異性体型を包含する。エレモールは、ブラッドオレンジ、アミリス油、アンジェリカ種子油、ベ・ローズ抽出物、シトロネラ油、エレミ油、エレミ樹脂、メリッサ油、ベチバー油、沈香、マンゴー葉抽出物などの、様々な植物種において見られる。
【００１９】
エレミシンは、１，２，３−トリメトキシ−５−プロパ−２−エニルベンゼンであり、アンジェリカ種子油、エレミ油、エレミ樹脂、ナツメグアブソリュート、パセリ葉油、パセリ種子油などの様々な植物抽出物中に見られる。
【００２０】
市販のライムオキシドは、リナロールの酸性条件下での異性化により得られる化合物の混合物であり、オシメンクイントオキシド（シトロオキシド）（ＣＡＳ  ７４１６−３−５）を含有する。２−イソプロペニル−５−メチル−５−ビニルテトラヒドロフラン（ＣＡＳ  １３６７９−８６−２）もまた、リナロールの酸性条件下での異性化により得られる。本発明の意味においては、用語「ライムオキシド」は、オシメンクイントオキシドおよび２−イソプロペニル−５−メチル−５−ビニルテトラヒドロフランの全ての立体異性型を包含する。
【００２１】
本発明のイソプレゴールは、ラセミ体（ＣＡＳ  ７７８６−６７−６）、または（−）異性体（ＣＡＳ  ８９−７９−２）のどちらも利用できる。１つの実施形態では、イソプレゴールは高砂（Ｔａｋａｓａｇｏ）の製品であるクールアクト（Ｃｏｏｌａｃｔ）（登録商標）Ｐとして入手可能である。本発明のイソプレゴールは、光学異性体および、９０％より高く、好ましくは９５％より高く、より好ましくは９７．５％より高く、なおより好ましくは９９％より高い化学的純度を有してもよい。イソプレゴール純度は、ガスクロマトグラフィーにより、米国特許第５，７７３，４１０号明細書において記載された方法を用いて、不純物ピークの面積パーセントを合計すること、およびこれらを、１００％と見なされる全測定面積から減算することにより測定される。
【００２２】
本発明の化学感覚剤のいくつかは、皮膚の神経終末の受容体を直接刺激して温感またはピリピリ感を生じることにより温感またはピリピリ感効果を皮膚に与えることが、先行技術から既に知られている。例えば、バニリルブチルエーテルは、鋭い、ピリッとくる刺激、または発熱／温感を与えるための、製品中の活性成分として知られる（特開昭５４−６７０４０号公報および特開昭６１−９２９３号公報）。
【００２３】
本発明者らは今驚くべきことに、本発明の化学感覚化合物がまた、知覚される温感および／またはピリピリ感を、空気を介して提供し、かつフレグランス組成物を含有する家庭日用品製品に使用できることも見出した。本発明者らは、本発明の化学感覚化合物が三叉神経−顔、鼻、および口において疼痛、温度、および接触を含む感覚を担当する神経−に影響を及ぼし、かつ脳の三叉神経応答を誘発することを観察した。本発明の化学感覚剤は、それ故、三叉神経刺激性化合物として現れる。
【００２４】
本発明の意味においては、化学感覚剤は、以下の遺伝子：
−化学感覚剤が温感剤である場合、ＴＲＰＶ１遺伝子（一過性受容体ポテンシャルカチオンチャネルサブファミリーＶメンバー１）（Ａｎｎｉｋａ  Ｂ．Ｍａｌｍｂｅｒｇ，Ｋｅｉｔｈ  Ｒ．Ｂｌｅｙ編、Ｔｕｒｎｉｎｇ  ｕｐ  ｔｈｅ  Ｈｅａｔ  ｏｎ  Ｐａｉｎ：ＴＲＰＶ１  Ｒｅｃｅｐｔｏｒｓ  ｉｎ  Ｐａｉｎ  ａｎｄ  Ｉｎｆｌａｍｍａｔｉｏｎ）、および
−化学感覚剤がピリピリ感剤である場合、ＴＲＰＡ１遺伝子（一過性受容体ポテンシャルカチオンチャネルサブファミリーＡメンバー１）（Ｔ．Ｍｃ  Ｄｏｎａｌｄら著、Ｃｈｅｍｅｓｔｈｅｓｉｓ：Ｃｈｅｍｉｃａｌ  Ｔｏｕｃｈ  ｉｎ  Ｆｏｏｄ  ａｎｄ  Ｅａｔｉｎｇ，２０１６年３月、Ｗｉｌｅｙ−Ｂｌａｃｋｗｅｌｌ）、
によって発現されるタンパク質に対して試験される場合、応答を生じる薬剤である。
【００２５】
本発明の家庭日用品製品は、フレグランス組成物の総重量基準で、約０．０１から約９重量％、約０．０１から約８重量％、約０．０１から約７重量％、約０．０１から約６重量％、約０．０１から約５重量％、約０．０１から約４重量％、約０．０１から約３重量％、または約０．０１から約２重量％の、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される少なくとも１つの化学感覚剤を含むフレグランス組成物を含むことが好ましい。フレグランス組成物は、フレグランス組成物の総重量基準で、約０．０２から約９重量％、約０．０２から約８重量％、約０．０２から約７重量％、約０．０２から約６重量％、約０．０２から約５重量％、約０．０２から約４重量％、約０．０２から約３重量％、または約０．０２から約２重量％の、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される少なくとも１つの化学感覚剤を含んでもよい。フレグランス組成物は、フレグランス組成物の総重量基準で、約０．０３から約９重量％、約０．０３から約８重量％、約０．０３から約７重量％、約０．０３から約６重量％、約０．０３から約５重量％、約０．０３から約４重量％、約０．０３から約３重量％、または約０．０３から約２重量％の、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される少なくとも１つの化学感覚剤を含んでもよい。フレグランス組成物はまた、フレグランス組成物の総重量基準で、約０．０４から約９重量％、約０．０４から約８重量％、約０．０４から約７重量％、約０．０４から約６重量％、約０．０４から約５重量％、約０．０４から約４重量％、約０．０４から約３重量％、または約０．０４から約２重量％の、バニリルエチルエーテル、バニリルｎ−プロピルエーテル、バニリルイソプロピルエーテル、バニリルブチルエーテル、エレモール、エリミシン、ライムオキシド、オシメンクイントオキシド、２−イソプロペニル−５−メチル−５−ビニルテトラヒドロフラン、およびイソプレゴールからなる群より選択される少なくとも１つの化学感覚剤を含んでもよい。
【００２６】
第１の実施形態によれば、本発明の化学感覚剤は、バニリルエチルエーテル、バニリルｎ−プロピルエーテル、バニリルイソプロピルエーテル、バニリルブチルエーテルからなる群より選択される温感剤である。かかる温感剤は、例えば、バニリルブチルエーテルについてはＨｏｔａｃｔ（登録商標）ＶＥＥの名称で高砂から、またはバニリルブチルエーテルについてはＨｏｔａｃｔ（登録商標）ＶＢＥの名称で高砂から市販されている。
【００２７】
この第１の実施形態では、家庭日用品製品は、フレグランス組成物の総重量基準で、好ましくは０．５から２０重量％の、より好ましくは１から１０重量％の総量で取り込まれる、温感剤に有利に添加されてもよい１つ以上の補完的な化合物をさらに含む、フレグランス組成物を含んでもよい。
【００２８】
温感剤に添加される補完的な化合物は、好ましくは、２−エトキシ−４−（ヒドロキシメチル）フェノール（ＣＡＳ  ４９１２−５８−７）、バニリン（ＣＡＳ  １２１−３３−５）、エチルバニリン（ＣＡＳ  １２１−３２−４）、バニリルイソブチラート（ＣＡＳ  ２０６６５−８０−４）、ベルトール（ＣＡＳ  １１８−７１−８）、ベルトールプラス（ＣＡＳ  ４９４０−１１−８）、シンナムアルデヒド（ＣＡＳ  １０４−５５−２）、ベルテネックス（ＣＡＳ  ３２２１０−２３−４）、クマリン（ＣＡＳ  ９１−６４−５）、オルビトン（登録商標）（ＣＡＳ  ５５４６４−５７−２、ＣＡＳ  ６８１５５−６６−８、およびＣＡＳ  ６８１５５−６７−９）、およびバクダノール（高砂のレボサンドール（Ｌｅｖｏｓａｎｄｏｌ）（登録商標））（ＣＡＳ  ２８２１９−６１−６およびＣＡＳ  １６４２０３−４６−７）からなる群より選択されてもよい。好ましい実施形態によれば、温感剤、例えばバニリルエチルエーテル、バニリルｎ−プロピルエーテル、バニリルイソプロピルエーテル、またはバニリルブチルエーテルは、２−エトキシ−４−（ヒドロキシメチル）フェノールと組合される。
【００２９】
第２の実施形態によれば、本発明の化学感覚剤は、エレモール、エリミシン、ライムオキシド、オシメンクイントオキシド、２−イソプロペニル−５−メチル−５−ビニルテトラヒドロフラン、およびイソプレゴールからなる群より選択されるピリピリ感剤であり、好ましくは、エレモールとエリミシンの組合せである。エレモールおよびエリミシンは、フレグランス組成物中にそのまま、またはそれらを含有する精油もしくは天然抽出物（例えばエレミ油中、またはエレミ樹脂中）を介して添加されてもよい。オシメンクイントオキシドおよび２−イソプロペニル−５−メチル−５−ビニルテトラヒドロフランもまた、フレグランス組成物中にそのまま、またはそれらを含有する反応混合物を介して添加されてもよい。
【００３０】
この第２の実施形態では、家庭日用品製品は、フレグランス組成物の総重量基準で、好ましくは０．１から２０重量％の、より好ましくは０．１から１０重量％の総量で取り込まれる、ピリピリ感剤に有利に添加され得る１つ以上の補完的な化合物をさらに含む、フレグランス組成物を含んでもよい。
【００３１】
ピリピリ感剤に添加される補完的な化合物は、好ましくは、シトラール（ＣＡＳ  ５３９２−４０−５）、１，４−シネオール（ＣＡＳ  ４７０−６７−７）、ガンマ−テルピノレン（ＣＡＳ  ６９０７３−３８−７）、および（＋）−ヌートカトン（ＣＡＳ  ４６７４−５０−４）からなる群より選択されてもよい。
【００３２】
別の実施形態によれば、家庭日用品製品はフレグランス組成物を含み、それはさらに香水成分を、かつ好ましくは少なくとも２つ、例えば少なくとも５つ、または少なくとも８つの別個の香水成分を含む。それは、任意の所望の匂いを提供するべく選択される、香水成分の高度に複雑な混合物を含んでもよい。香水成分は、典型的には嗅覚活性材料である。香水類の分野において典型的に使用され、かつ本発明の目的に適した香水成分は、Ｓ．Ａｒｃｔａｎｄｅｒ著、Ｐｅｒｆｕｍｅ  Ｆｌａｖｏｒｓ  ａｎｄ  Ｃｈｅｍｉｃａｌｓ、１９６９年、第ＩおよびＩＩ巻、Ｍｏｎｔｃｌａｉｒ，Ｎ．Ｊ．、およびＴｈｅ  Ｍｅｒｃｋ  Ｉｎｄｅｘ第８版、Ｍｅｒｃｋ＆Ｃｏ．，Ｉｎｃ．Ｒａｈｗａｙ，Ｎ．Ｊ．において、より完全に記載されている。用語「香水成分」は、香水に使用することが知られている天然産ならびに合成の香水材料、同様に動物油も包含する。香水成分はまた、任意の天然油もしくは抽出物、またはフレグランス組成物において使用される化合物であってもよい。天然油および抽出物は、１９４９年にＶａｎ  Ｎｏｓｔｒａｎｄにより出版された、Ｅ．Ｇｕｅｎｔｈｅｒ著、Ｔｈｅ  Ｅｓｓｅｎｔｉａｌ  Ｏｉｌｓに記載されており、適当な植物の任意の部分：根、根茎、鱗茎、球茎、茎、樹皮、心材、葉、花、種子、および果実、からの抽出物、加圧物、浸出液収集物、および留出物を包含してもよい。上記に挙げた１つ以上の補完的なピリピリ感材料を含む、かかる抽出物および留出物の例は、シトラス系果実油、例えばオレンジ、マンダリン、グレープフルーツ、ライム、またはレモン油、木油、例えばパインまたはシダーウッド、ハーブ油、例えばペパーミント、タイム、ラベンダー、バジル、ローズマリー、クローブ、または花抽出物、例えばバラ、ジャスミン  スズラン、またはゼラニウム油を包含する。
【００３３】
また各香水成分は、１００ｇ／ｍｏｌより大きく、好ましくは１２０ｇ／ｍｏｌより大きく、かつ３２５ｇ／ｍｏｌより小さく、好ましくは３００ｇ／ｍｏｌより小さい分子量をもつことが好ましい。さらに各香水成分は、７６０ｍｍＨｇにおいて測定される場合、８０から４００℃の範囲、例えば１００−３５０℃の範囲の沸点を有することが好ましい。
【００３４】
香水成分は以下のリストから選択されることが好ましい。
【００３５】
Ｃ８−Ｃ１８炭化水素、好ましくはデルタ−３−カレン、アルファ−ピネン、ベータ−ピネン、アルファ−テルピネン、ガンマ−テルピネン、ｐ−シメン、ビサボレン、カンフェン、カリオフィレン、セドレン、ファルネセン、リモネン、ロンギホレン、ミルセン、オシメン、バレンセン、および（Ｅ，Ｚ）−１，３，５−ウンデカトリエン。
【００３６】
Ｃ２−Ｃ１８脂肪族アルコール、好ましくはヘキサノール、オクタノール、３−オクタノール、２，６−ジメチルヘプタノール、２−メチルヘプタノール、２−メチルオクタノール、（Ｅ）−３−ヘキセノール、（Ｅ）および（Ｚ）−３−ヘキセノール、１−オクテン−３−オール、３，４，５，６，６−ペンタメチル−３／４−ヘプテン−２−オールと３，５，６，６−テトラメチル−４−メチレンヘプタン−２−オールとの混合物、（Ｅ，Ｚ）−２，６−ノナジエノール、３，７−ジメチル−７−メトキシオクタン−２−オール、９−デセノール、１０−ウンデセノール、および４−メチル−３−デセン−５−オール。
【００３７】
Ｃ２−Ｃ１８脂肪族アルデヒドおよびそのアセタール、好ましくはヘキサナール、ヘプタナール、オクタナール、ノナナール、デカナール、ウンデカナール、ドデカナール、トリデカナール、２−メチルオクタナール、２−メチルノナナール、（Ｅ）−２−ヘキセナール、（Ｚ）−４−ヘプテナール、２，６−ジメチル−５−ヘプテナール、１０−ウンデセナール、（Ｅ）−４−デセナール、２−ドデセナール、２，６，１０−トリメチル−５，９−ウンデカジエナール、ヘプタナールジエチルアセタール、１，１−ジメトキシ−２，２，５−トリメチル−４−へキセン、およびシトロネリルオキシアセトアルデヒド。
【００３８】
Ｃ３−Ｃ１８脂肪族ケトンおよびそのオキシム、好ましくは２−ヘプタノン、２−オクタノン、３−オクタノン、２−ノナノン、５−メチル−３−ヘプタノン、５−メチル−３−ヘプタノンオキシム、および２，４，４，７−テトラメチル−６−オクテン−３−オン。
【００３９】
Ｃ２−Ｃ１８脂肪族硫黄含有化合物、好ましくは３−メチルチオヘキサノール、酢酸３−メチルチオヘキシル、３−メルカプトヘキサノール、酢酸３−メルカプトヘキシル、酪酸３−メルカプトヘキシル、酢酸３−アセチルチオヘキシル、および１−メンテン−８−チオール。
【００４０】
Ｃ２−Ｃ１８脂肪族ニトリル含有化合物、好ましくは２−ノネンニトリル、２−トリデセネンニトリル、２，１２−トリデセネン−ニトリル、３，７−ジメチル−２，６−オクタジエンニトリル、および３，７−ジメチル−６−オクテンニトリル。
【００４１】
Ｃ２−Ｃ１８脂肪族カルボン酸およびそのエステル、好ましくはギ酸（Ｅ）−および（Ｚ）−３−ヘキセニル、アセト酢酸エチル、酢酸イソアミル、酢酸ヘキシル、酢酸３，５，５−トリメチルヘキシル、酢酸３−メチル−２−ブテニル、酢酸（Ｅ）−２−ヘキセニル、酢酸（Ｅ）−および（Ｚ）−３−ヘキセニル、酢酸オクチル、酢酸３−オクチル、酢酸１−オクテン−３−イル、酪酸エチル、酪酸ブチル、酪酸イソアミル、酪酸ヘキシル、イソ酪酸（Ｅ）−および（Ｚ）−３−ヘキセニル、クロトン酸ヘキシル、イソ吉草酸エチル、２−メチルペンタン酸エチル、ヘキサン酸エチル、ヘキサン酸アリル、ヘプタン酸エチル、ヘプタン酸アリル、オクタン酸エチル、（Ｅ，Ｚ）−２，４−デカジエン酸エチル、２−オクチン酸メチル、２−ノニン酸メチル、２−イソアミルオキシ酢酸アリル、ならびに３，７−ジメチル−２，６−オクタジエン酸メチル。
【００４２】
Ｃ４−Ｃ１８非環式テルペンアルコール、好ましくはシトロネロール、ゲラニオール、ネロール、リナロール、ラバンジュロール、ネロリドール、ファルネソール、テトラヒドロリナロール、テトラヒドロゲラニオール、２，６−ジメチル−７−オクテン−２−オール、２，６−ジメチルオクタン−２−オール、２−メチル−６−メチレン−７−オクテン−２−オール、２，６−ジメチル−５，７−オクタジエン−２−オール、２，６−ジメチル−３，５−オクタジエン−２−オール、３，７−ジメチル−４，６−オクタジエン−３−オール、３，７−ジメチル−１，５，７−オクタトリエン−３−オール、２，６−ジメチル−２、５，７−オクタトリエン−１−オール；
Ｃ４−Ｃ１８非環式テルペンアルデヒドおよびケトン、好ましくはゲラニアール、ネラール、シトロネラール、７−ヒドロキシ−３，７−ジメチルオクタナール、７−メトキシ−３，７−ジメチルオクタナール、２，６，１０−トリメチル−９−ウンデセナール、ゲラニルアセトン、ならびにゲラニアール、ネラール、および７−ヒドロキシ−３，７−ジメチルオクタナールのジメチルおよびジエチルアセタール。
【００４３】
Ｃ４−Ｃ１８環式テルペンアルコール、好ましくはアルファ−テルピネオール、テルピネオール−４、メンタン−８−オール、メンタン−１−オール、メンタン−７−オール、ボルネオール、イソボルネオール、リナロールオキシド、メントール  ノポール、セドロール、アンブリノール、ベチベロール、およびグアイオール。
【００４４】
Ｃ４−Ｃ１８環式テルペンアルデヒドおよびケトン、好ましくはフェンコン、カンファー  アルファ−イオノン、ベータ−イオノン、アルファ−ｎ−メチルイオノン、ベータ−ｎ−メチルイオノン、アルファ−イソメチルイオノン、ベータ−イソメチルイオノン、アルファ−イロン、アルファ−ダマスコン、ベータ−ダマスコン、ベータ−ダマセノン、デルタ−ダマスコン、ガンマ−ダマスコン、１−（２，４，４−トリメチル−２−シクロヘキセン−１−イル）−２−ブテン−１−オン、１，３，４，６，７，８ａ−ヘキサヒドロ−１，１，５，５−テトラメチル−２Ｈ−２，４ａ−メタノナフタレン−８（５Ｈ）−オン、メントンヌートカトン、ジヒドロヌートカトン、アルファ−シネンサール、ベータ−シネンサール、およびメチルセドリルケトン。
【００４５】
Ｃ４−Ｃ１８環式アルコール、好ましくは４−ｔｅｒｔ−ブチルシクロヘキサノール、３，３，５−トリメチルシクロヘキサノール、３−イソカンフィルシクロヘキサノール、２，６，９−トリメチル−Ｚ２，Ｚ５，Ｅ９−シクロドデカトリエン−１−オール、および２−イソブチル−４−メチルテトラヒドロ−２Ｈ−ピラン−４−オール。
【００４６】
Ｃ４−Ｃ１８環式脂肪族アルコール、好ましくはアルファ−３，３−トリメチルシクロヘキシルメタノール、２−メチル−４−（２，２，３−トリメチル−３−シクロペンタ−１−イル）ブタノール、２−メチル−４−（２，２，３−トリメチル−３−シクロペンタ−１−イル）−２−ブテン−１−オール、２−エチル−４−（２，２，３−トリメチル−３−シクロペンタ−１−イル）−２−ブテン−１−オール、３−メチル−５−（２，２，３−トリメチル−３−シクロペンタ−１−イル）−ペンタン−２−オール、３−メチル−５−（２，２，３−トリメチル−３−シクロペンタ−１−イル）−４−ペンテン−２−オール、３，３−ジメチル−５−（２，２，３−トリメチル−３−シクロペンタ−１−イル）−４−ペンテン−２−オール、１−（２，２，６−トリメチルシクロヘキシル）ペンタン−３−オール、および１−（２，２，６−トリメチルシクロヘキシル）ヘキサン−３−オール。
【００４７】
Ｃ４−Ｃ１８環式および環式脂肪族エーテル、好ましくはセドリルメチルエーテル、シクロドデシルメチルエーテル、（エトキシメトキシ）シクロドデカン、アルファ−セドレンエポキシド、３ａ，６，６，９ａ−テトラメチル−ドデカヒドロナフト［２，１−ｂ］フラン、３ａ−エチル−６，６，９ａ−トリメチル−ドデカヒドロ−ナフト［２，１−ｂ］フラン、１，５，９−トリメチル−１３−オキサビシクロ［１０．１．１０］トリデカ−４，８−ジエン、ローズオキシド、および２−（２，４−ジメチル−３−シクロヘキセン−１−イル）−５−メチル−５−（１−メチルプロピル）−１，３−ジオキサン。
【００４８】
Ｃ４−Ｃ１８環式ケトン、好ましくは４−ｔｅｒｔ−ブチルシクロヘキサノン、２，２，５−トリメチル−５−ペンチルシクロペンタノン、２−ヘプチルシクロペンタノン、２−ペンチルシクロペンタノン、２−ヒドロキシ−３−メチル−２−シクロペンテン−１−オン、３−メチル−シス−２−ペンテン−１−イル−２−シクロペンテン−１−オン、３−メチル−２−ペンチル−２−シクロペンテン−１−オン、３−メチル−４−シクロペンタデセノン、３−メチル−５−シクロペンタデセノン、３−メチルシクロペンタデカノン、４−（１−エトキシビニル）−３，３，５，５−テトラメチルシクロヘキサノン、４−ｔｅｒｔ−ペンチルシクロヘキサノン、５−シクロヘキサデセン−１−オン、６，７−ジヒドロ−１，１，２，３，３−ペンタメチル−４（５Ｈ）−インダノン、９−シクロヘプタデセン−１−オン、シクロペンタデカノン、およびシクロヘキサデカノン。
【００４９】
Ｃ４−Ｃ１８環式脂肪族アルデヒド、好ましくは２，４−ジメチル−３−シクロヘキセンカルバルデヒド、２−メチル−４−（２，２，６−トリメチル−シクロヘキセン−１−イル）−２−ブテナール、４−（４−ヒドロキシ−４−メチルペンチル）−３−シクロヘキセンカルバルデヒド、および４−（４−メチル−３−ペンテン−１−イル）−３−シクロヘキセンカルバルデヒド。
【００５０】
Ｃ４−Ｃ１８環式脂肪族ケトン、好ましくは１−（３，３−ジメチルシクロヘキシル）−４−ペンテン−１−オン、１−（５，５−ジメチル−１−シクロヘキセン−１−イル）−４−ペンテン−１−オン、２，３，８，８−テトラメチル−１，２，３，４，５，６，７，８−オクタヒドロ−２−ナフタレニルメチルケトン、メチル−２，６，１０−トリメチル−２，５，９−シクロドデカトリエニルケトン、およびｔｅｒｔ−ブチル（２，４−ジメチル−３−シクロヘキセン−１−イル）ケトン。
【００５１】
Ｃ４−Ｃ１８の環式アルコールのエステル、好ましくは酢酸２−ｔｅｒｔ−ブチルシクロヘキシル、酢酸４−ｔｅｒｔ−ブチル−シクロヘキシル、酢酸２−ｔｅｒｔ−ペンチルシクロヘキシル、酢酸４−ｔｅｒｔ−ペンチルシクロヘキシル、酢酸デカヒドロ−２−ナフチル、酢酸３−ペンチルテトラヒドロ−２Ｈ−ピラン−４−イル、酢酸デカヒドロ−２，５，５，８ａ−テトラメチル−２−ナフチル、酢酸４，７−メタノ−３ａ，４，５，６，７，７ａ−ヘキサヒドロ−５または６−インデニル、プロピオン酸４，７−メタノ−３ａ，４，５，６，７，７ａ−ヘキサヒドロ−５または６−インデニル、イソ酪酸４，７−メタノ−３ａ，４，５，６，７，７ａ−ヘキサヒドロ−５または６−インデニル、および酢酸４，７−メタノオクタヒドロ−５または６−インデニル。
【００５２】
Ｃ４−Ｃ１８の環式脂肪族カルボン酸のエステル、好ましくは３−シクロヘキシルプロピオン酸アリル、シクロヘキシルオキシ酢酸アリル、ジヒドロジャスモン酸メチル、ジャスモン酸メチル、２−ヘキシル−３−オキソシクロペンタンカルボン酸メチル、２−エチル−６，６−ジメチル−２−シクロヘキセンカルボン酸エチル、２，３，６，６−テトラメチル−２−シクロヘキセンカルボン酸エチル、および２−メチル−１，３−ジオキソラン−２−酢酸エチル。
【００５３】
Ｃ４−Ｃ１８芳香族炭化水素、好ましくはスチレンおよびジフェニルメタン。
【００５４】
Ｃ４−Ｃ１８芳香脂肪族アルコール、好ましくはベンジルアルコール、１−フェニルエチルアルコール、２−フェニルエチルアルコール、３−フェニルプロパノール、２−フェニルプロパノール、２−フェノキシエタノール、２，２−ジメチル−３−フェニルプロパノール、２，２−ジメチル−３−（３−メチルフェニル）プロパノール、１，１−ジメチル−２−フェニルエチルアルコール、１，１−ジメチル−３−フェニルプロパノール、１−エチル−１−メチル−３−フェニルプロパノール、２−メチル−５−フェニルペンタノール、３−メチル−５−フェニルペンタノール、３−フェニル−２−プロペン−１−オール、４−メトキシベンジルアルコール、および１−（４−イソプロピルフェニル）エタノール。
【００５５】
Ｃ４−Ｃ１８の芳香脂肪族アルコールおよびＣ４−Ｃ１８の脂肪族カルボン酸のエステル、好ましくは酢酸ベンジル、プロピオン酸ベンジル、イソ酪酸ベンジル、イソ吉草酸ベンジル、酢酸２−フェニルエチル、プロピオン酸２−フェニルエチル、イソ酪酸２−フェニルエチル、イソ吉草酸２−フェニルエチル、酢酸１−フェニルエチル、酢酸アルファ−トリクロロメチルベンジル、酢酸アルファ，アルファ−ジメチルフェニルエチル、酪酸アルファ，アルファ−ジメチルフェニルエチル、酢酸シンナミル、イソ酪酸２−フェノキシエチル、および酢酸４−メトキシベンジル。
【００５６】
Ｃ２−Ｃ１８芳香脂肪族エーテル、好ましくは２−フェニルエチルメチルエーテル、２−フェニルエチルイソアミルエーテル、２−フェニルエチル１−エトキシエチルエーテル、フェニルアセトアルデヒドジメチルアセタール、フェニルアセトアルデヒドジエチルアセタール、ヒドラトロプアルデヒドジメチルアセタール、フェニルアセトアルデヒドグリセロールアセタール、２，４，６−トリメチル−４−フェニル−１，３−ジオキサン、４，４ａ，５，９ｂ−テトラヒドロインデノ［１，２−ｄ］−ｍ−ジオキシン、および４，４ａ，５，９ｂ−テトラヒドロ−２，４−ジメチルインデノ［１，２−ｄ］−ｍ−ジオキシン。
【００５７】
Ｃ４−Ｃ１８芳香族および芳香脂肪族アルデヒド、好ましくはベンズアルデヒド、フェニルアセトアルデヒド、３−フェニルプロパナール、ヒドラトロプアルデヒド、４−メチルベンズアルデヒド、４−メチルフェニルアセトアルデヒド、３−（４−エチルフェニル）−２，２−ジメチルプロパナール、２−メチル−３−（４−イソプロピルフェニル）プロパナール、２−メチル−３−（４−ｔｅｒｔ−ブチルフェニル）プロパナール、３−（４−ｔｅｒｔ−ブチルフェニル）プロパナール、シンナムアルデヒド、アルファ−ブチルシンナムアルデヒド、アルファ−アミルシンナムアルデヒド、アルファ−ヘキシルシンナムアルデヒド、３−メチル−５−フェニルペンタナール、４−メトキシベンズアルデヒド、４−ヒドロキシ−３−メトキシベンズアルデヒド、４−ヒドロキシ−３−エトキシベンズアルデヒド、３，４−メチレンジオキシベンズアルデヒド、３，４−ジメトキシベンズアルデヒド、２−メチル−３−（４−メトキシフェニル）プロパナール、および２−メチル−３−（４−メチレンジオキシフェニル）プロパナール。
【００５８】
Ｃ４−Ｃ１８芳香族および芳香脂肪族ケトン、好ましくはアセトフェノン、４−メチルアセトフェノン、４−メトキシアセトフェノン、４−ｔｅｒｔ−ブチル−２，６−ジメチルアセトフェノン、４−フェニル−２−ブタノン、４−（４−ヒドロキシフェニル）−２−ブタノン、１−（２−ナフタレニル）エタノン、ベンゾフェノン、１，１，２，３，３，６−ヘキサメチル−５−インダニルメチルケトン、６−ｔｅｒｔ−ブチル−１，１−ジメチル−４−インダニルメチルケトン、１−［２，３−ジヒドロ−１，１，２，６−テトラメチル−３−（１−メチルエチル）−１Ｈ−５−インデニル］エタノン、および５’，６’，７’，８’−テトラヒドロ−３’，５’，５’，６’，８’，８’−ヘキサメチル−２−アセトナフトン。
【００５９】
Ｃ４−Ｃ１８芳香族および芳香脂肪族カルボン酸およびそれらのエステル、好ましくはフェニル酢酸、安息香酸メチル、安息香酸エチル、安息香酸ヘキシル、安息香酸ベンジル、フェニル酢酸メチル、フェニル酢酸エチル、フェニル酢酸ゲラニル、フェニル酢酸フェニルエチル、ケイ皮酸メチル、ケイ皮酸エチル、ケイ皮酸ベンジル、ケイ皮酸フェニルエチル、ケイ皮酸シンナミル、フェノキシ酢酸アリル、サリチル酸メチル、サリチル酸イソアミル、サリチル酸ヘキシル、サリチル酸シクロヘキシル、サリチル酸ｃｉｓ−３−ヘキセニル、サリチル酸ベンジル、サリチル酸フェニルエチル、２，４−ジヒドロキシ−３，６−ジメチル安息香酸メチル、３−フェニルグリシド酸エチル、および３−メチル−３−フェニルグリシド酸エチル。
【００６０】
Ｃ４−Ｃ１８の窒素含有芳香族化合物、好ましくは２，４，６−トリニトロ−１，３−ジメチル−５−ｔｅｒｔ−ブチルベンゼン、３，５−ジニトロ−２，６−ジメチル−４−ｔｅｒｔ−ブチルアセトフェノン、シンナモニトリル、５−フェニル−３−メチル−２−ペンテンニトリル、５−フェニル−３−メチルペンタンニトリル、アントラニル酸メチル、Ｎ−メチルアントラニル酸メチル、アントラニル酸メチルと、７−ヒドロキシ−３，７−ジメチルオクタナール、２−メチル−（４−ｔｅｒｔ−ブチルフェニル）プロパナール、２，４−ジメチル−３−シクロヘキセン−カルバルデヒドとのシッフ塩基、６−イソプロピルキノリン、６−イソブチルキノリン、６−ｓｅｃ−ブチルキノリン、インドール、スカルトール、２−メトキシ−３−イソプロピルピラジン、および２−イソブチル−３−メトキシピラジン。
【００６１】
フェノール、フェニルエーテルおよびフェニルエステル、好ましくはエストラゴール、アネトール、オイゲノール、オイゲニルメチルエーテル、イソオイゲノール、イソオイゲニルメチルエーテル、チモール、カルバクロール、ジフェニルエーテル、ベータ−ナフチルメチルエーテル、ベータ−ナフチルエチルエーテル、ベータ−ナフチルイソブチルエーテル、１，４−ジメトキシベンゼン、酢酸オイゲニル、２−メトキシ−４−メチルフェノール、２−エトキシ−５−（１−プロペニル）フェノール、およびフェニル酢酸ｐ−クレジル。
【００６２】
Ｃ４−Ｃ１２の複素環式化合物、好ましくは２，５−ジメチル−４−ヒドロキシ−２Ｈ−フラン−３−オン、２−エチル−４−ヒドロキシ−５−メチル−２Ｈ−フラン−３−オン、３−ヒドロキシ−２−メチル−４Ｈ−ピラン−４−オン、および２−エチル−３−ヒドロキシ−４Ｈ−ピラン−４−オン。
【００６３】
Ｃ４−Ｃ１８のラクトン、好ましくは１，４−オクタノリド、３−メチル−１，４−オクタノリド、１，４−ノナノリド、１，４−デカノリド、８−デセン−１，４−オリド、１，４−ウンデカノリド、１，４−ドデカノリド、１，５−デカノリド、１，５−ドデカノリド、１，１５−ペンタデカノリド、ｃｉｓおよびトランス−１１−ペンタデセン−１，１５−オリド、ｃｉｓおよびトランス−１２−ペンタデセン−１，１５−オリド、１，１６−ヘキサデカノリド、９−ヘキサデセン−１，１６−オリド、１０−オキサ−１，１６−ヘキサデカノリド、１１−オキサ−１，１６−ヘキサデカノリド、１２−オキサ−１，１６−ヘキサデカノリド、１，１２−ドデカン二酸エチレン、１，１３−トリデカン二酸エチレン、クマリン、２，３−ジヒドロクマリン、およびオクタヒドロクマリン。
【００６４】
家庭日用品製品のフレグランス組成物中に存在する香水成分は、好ましくは、イオン化官能基、例えばスルホン酸塩、硫酸塩、リン酸塩、または第四級アンモニウムイオンを含有しない。
【００６５】
本発明のフレグランス組成物は、１つ以上の支持材料、例えば溶媒またはＵＶ安定剤を含んでもよい。溶媒の量は、家庭日用品製品の総重量の６０重量％まで、例えば５０重量％まで、例えば４０重量％まで存在してもよい。適当な溶媒の例は、炭化水素、例えば商品名イソパール（Ｉｓｏｐａｒ）（登録商標）で販売されるもの、エーテル、例えば商品名ドワノール（Ｄｏｗａｎｏｌ）（登録商標）で販売されるもの、安息香酸ベンジル、ミリスチン酸イソプロピル、アジピン酸ジアルキル、コハク酸ジアルキル、グルタール酸ジアルキル（例えば商品名Ｆｌｅｘｉｓｏｌｖ（登録商標）で販売されるジメチルエステル）、クエン酸エステル（例えばクエン酸トリエチルおよびアセチルクエン酸トリブチル）、大豆メチルエステル、例えばＭＥ−Ｓ１８８５（ピーター・クレーマー（Ｐｅｔｅｒ  Ｃｒｅｍｅｒ）ＮＡにより販売）、フタル酸ジエチル、ジエチレングリコールモノエチルエーテル、３−メトキシ−３−メチル−１−ブタノール、ジプロピレングリコール、および商品名Ａｕｇｅｏ（登録商標）Ｃｌｅａｎ  Ｍｕｌｔｉで販売されるイソプロピリデングリセロールを包含する。ＵＶ安定剤の例は、Ｐａｒｓｏｌ（登録商標）１７８９で販売されるブチルメトキシジベンゾイルメタン、ビス−エチルヘキシルオキシフェノールメトキシフェニルトリアジン、商品名Ｕｖｉｎｏｌ（登録商標）で販売されるもの、例えばＵｖｉｎｏｌ  Ｄ５０（ビス（２，４ジヒドロキシフェニル）メタノン）、Ｕｖｉｎｏｌ  ＭＣ８０（メトキシケイ皮酸オクチル）およびＵｖｉｎｏｌ  Ｍ４０（ベンゾフェノン−３）を包含する。
【００６６】
１つの実施形態では、本発明の家庭日用品製品は、エアフレッシュナーディスペンサー装置である。
【００６７】
エアフレッシュナーディスペンサー装置は、
−スプレー（米国特許出願公開第２００７／０１２２３７３号明細書に例示されたような、自動スプレー、手動加圧エアゾールスプレー、またはポンプアクションスプレーなど）、ディフューザー、ゲル、キャンドル、ワックス、ワックスメルト、ポットポプリ、含浸紙、および積層カードボードから選択される受動蒸発装置、または
−好ましくは加熱要素を含む、電動エアフレッシュナーディスペンサー装置であり、前記電動エアフレッシュナーディスペンサー装置が、好ましくは米国特許第６，１２３，９３５号明細書に記載されたような電圧素子装置またはプラグである装置、
であってよい。
【００６８】
別の態様によれば、本発明の家庭日用品製品は、台所またはバスルーム用サーフェスクリーナー、または床クリーナーである。床クリーナーは、汎用クリーナーとしても知られ、またカーペットクリーナーも包含する。それらは様々な形態：均一液体、研磨剤あるなしの濃化液、ペースト、ゲル、フォーム、またはスプレーでよい。それらはボトルから直接、または水に希釈した後に使用してもよい。様々な送達法が使用者の便宜のために考案されており、あるものはトリガースプレーボトルから表面上へ噴霧され、あるいはまたそれらが表面上へ直接注がれてもよい。それらは、付加的な成分、例えば水垢の除去のための酸、衛生のための殺生物剤、または漂白剤を含有してもよい。標準的な床クリーナー組成物は、主要成分およびそれらの量を集約する以下の表１に示されている（Ｓｕｒｆａｃｔａｎｔ  Ｓｃｉｅｎｃｅ  Ｓｅｒｉｅｓ、第６７巻、Ｌｉｑｕｉｄ  Ｄｅｔｅｒｇｅｎｔｓ  ｃｈａｐｔｅｒ  ｏｎ  Ｓｐｅｃｉａｌｉｔｙ  ｌｉｑｕｉｄ  Ｈｏｕｓｅｈｏｌｄ  Ｓｕｒｆａｃｅ  Ｃｌｅａｎｅｒｓ、ｐ．４７９、第４表より引用）。
【００６９】
【表１】
2019507614.tif 000002
【００７０】
別の態様によれば、本発明の家庭日用品製品は、固体または液体のトイレリムブロックである。
【００７１】
固体トイレリムブロックは、便器または小便器の縁の下に配置されて、水洗サイクルの間に水槽からの水がブロックの上を流れ、それによりトイレリムブロックの一部を溶解するようにすることが意図されている。本発明はまた、便器の表面に直接粘着するケージレスリムブロック、および水槽内に配置されてそこに含まれる水に徐々に溶解する固体トイレ水槽ブロックにも関する。これらの２つの製品の溶解性がかなり異なるということは理解されるであろう。なぜなら、１つは常に水中にあるが、他方は水と散発的に短時間接触するからである。しかしながら、それらは双方ともに界面活性剤、充填剤、および本発明によって定義されたようなフレグランス組成物、および任意で漂白剤、殺菌剤、および水垢防止剤を含有する。典型的な配合は、欧州特許第０４６２６４３号明細書、英国特許第２１７８４４２号明細書、米国特許第８６５８５８８号明細書、および米国特許第４８７４５３６号明細書に記載されており、これらはここに参照として取り込まれる。
【００７２】
液体トイレリムブロックは、便器の縁の下から液体組成物を前記便器の中へ直接分配する装置である。かかる液体トイレリムブロックは通常、フック等の種々の手段によって便器の縁に取付けられる。液体トイレリムブロックを備えたトイレが水洗されるたびごとに、ある量の組成物が便器内に分配される。液体トイレリムブロックの例は、国際公開第０２／４０７９２号、欧州特許第０７７５７４１号明細書、および国際公開第０１／９４５２０号に示されており、これらはここに参照として取り込まれる。
【００７３】
第２の態様によれば、本発明は、バニリルエチルエーテル、バニリルｎ−プロピルエーテル、バニリルイソプロピルエーテル、バニリルブチルエーテルの、またはこれらの温感剤の１つを含む本発明により定義されるような家庭日用品製品の、知覚される温感を、空気を介して送達するための薬剤としての使用に関する。
【００７４】
第３の態様によれば、本発明は、エレモール、エリミシン、ライムオキシド、オシメンクイントオキシド、２−イソプロペニル−５−メチル−５−ビニルテトラヒドロフラン、およびイソプレゴールの、またはこれらのピリピリ感剤の１つを含む本発明により定義されるような家庭日用品製品の、空気を介して知覚されるピリピリ感を送達するための薬剤としての使用に関する。
【００７５】
第４の態様によれば、本発明は、知覚される温感およびピリピリ感を、空気を介して送達するための方法であって、
−バニリルエチルエーテル（ＣＡＳ  １３１８４−８６−６）、バニリルｎ−プロピルエーテル（ＣＡＳ  ８１９９５−３８−２）、バニリルイソプロピルエーテル（ＣＡＳ  １４１９３−２９−４）、およびバニリルブチルエーテル（ＣＡＳ  ８２６５４−９８−６）からなる群より選択される少なくとも１つの温感剤と、同時に
−エレモール（ＣＡＳ  ８０２４−２７−９）、エリミシン（ＣＡＳ  ４８７−１１−６）、ライムオキシド（ＣＡＳ  ７３０１８−５１−６）、オシメンクイントオキシド（ＣＡＳ  ７４１６−３５−５）、２−イソプロペニル−５−メチル−５−ビニルテトラヒドロフラン（ＣＡＳ  １３６７９−８６−２）、およびイソプレゴール（ＣＡＳ  ７７８６−６７−６およびＣＡＳ  ８９−７９−２）からなる群より選択される少なくとも１つのピリピリ感剤を、
或いは温感剤およびピリピリ感剤の双方を含む本発明により定義されるような家庭日用品製品を、空気中に分散させることを含む、方法を提供する。
【００７６】
第５の態様によれば、本発明は、バニリルエチルエーテル、バニリルｎ−プロピルエーテル、バニリルイソプロピルエーテル、バニリルブチルエーテル、またはこれらの温感剤の少なくとも１つを含む本発明により定義されるような家庭日用品製品を、空中に分散させることを含む、知覚される温感を空気を介して送達するための方法を提供する。
【００７７】
最後に、本発明は、エレモール、エリミシン、ライムオキシド、オシメンクイントオキシド、２−イソプロペニル−５−メチル−５−ビニルテトラヒドロフラン、イソプレゴール、またはこれらのピリピリ感剤の少なくとも１つを含む本発明により定義されるような家庭日用品製品を、空中に分散させることを含む、知覚されるピリピリ感を空気を介して送達するための方法を提供する。
【００７８】
家庭日用品製品は、本明細書に記載された任意の噴霧器、物品、および装置により、または他の適当な装置により、あるいは任意の他の適当な方法で、分散されてもよい。家庭日用品製品は、噴霧液滴の形態で分散されてもよい。
【００７９】
上記の装置に加えて、本発明はまた以下に続く残りの記載から生じる他の装置も含む。
【実施例】
【００８０】
例１
温感剤の知覚試験
カプサイシン（参考）（Ｓｉｇｍａ−Ａｌｄｒｉｃｈ）、バニリルブチルエーテル（Ｈｏｔａｃｔ（登録商標）ＶＢＥ）、およびバニリルエチルエーテル（Ｈｏｔａｃｔ（登録商標）ＶＥＥ）の間の比較試験に参加するため、２０名のパネリストが選ばれた。参考カプサイシンは、皮膚／舌に対するその温感効果で知られる唐辛子の活性成分である（Ｓ．Ｋｏｓｕｇｅら、Ｊ．Ａｇｒｉｃ．Ｃｈｅｍ．Ｓｏｃ．，１９６２年、第３６巻、ｐ．５１）。
【００８１】
試料は、純粋な原料をクエン酸トリエチル（ＴＥＣ）中で１％に希釈することにより調製した。
【００８２】
評価の第１の部分では、パネリストは１つずつ試料の匂いをかぎ、それらを以下のスケールで評価する：
−鼻における温感知覚：０（全くない）から１００（非常に強い感覚）。
【００８３】
温感知覚試験の結果を図１に示す。
【００８４】
ＡＮＯＶＡ試験およびスチューデントのｔ検定の双方は、パネリストが、バニリルエチルエーテル（Ｈｏｔａｃｔ（登録商標）ＶＥＥ）およびバニリルブチルエーテル（Ｈｏｔａｃｔ（登録商標）ＶＢＥ）について、参考カプサイシンに比較して改善された温感知覚を感ずることを示している。これらの結果は、統計的に有意である（ＡＮＯＶＡ：Ｆ比＝１５．１２：ｐ＜０．００１；ｔ検定：アルファ＝０．０５）。
【００８５】
評価の第２の部分では、パネリストは、より弱い温感剤（ランク１）からより強い温感剤（ランク４）まで、化学感覚剤をランク付けする。以下のようにランキングについての平均値が得られる：
−カプサイシン：平均ランク＝１．６５０、
−Ｈｏｔａｃｔ（登録商標）ＶＥＥ：平均ランク＝２．４５０、および
−Ｈｏｔａｃｔ（登録商標）ＶＢＥ：平均ランク＝２．９２５。
【００８６】
フリードマン検定は、素材が異なってランクされていることを示す（ｐ＜０．０１）。
【００８７】
ネメンニ（Ｎｅｍｅｎｙｉ）多重比較検定は、バニリルエチルエーテル（Ｈｏｔａｃｔ（登録商標）ＶＥＥ）およびバニリルブチルエーテル（Ｈｏｔａｃｔ（登録商標）ＶＢＥ）が、参考カプサイシンよりも有意により温感性であることを示す。
【００８８】
例２
ピリピリ感剤の知覚試験
エレミ油、エレミ樹脂、ライムオキシド、およびスピラントール（参考）（高砂）の間の比較試験に参加するため、２０名のパネリストが選ばれた。参考スピラントールは、レンブに含有されており、皮膚／舌に対するそのピリピリ感効果で知られる（米国特許第９８９０５６７号明細書；Ｊ，Ｐａｕｌｒａｊら、Ａｄｖａｎｃｅ  ｉｎ  Ｐｈａｒｍａｃｏｌｏｇｉｃａｌ  Ｓｃｉｅｎｃｅｓ、第２０１３巻、論文ＩＤ  ５１０２９８、ｐ．２２）。
【００８９】
試料は、純粋な原料のクエン酸トリエチル（ＴＥＣ）中１％の溶液として調製し、試験用に小瓶に静かに注いだ。
【００９０】
評価の第１の部分では、パネリストは１つずつ試料の匂いをかぎ、それらを以下のスケールで評価する：
−鼻におけるピリピリ感知覚：０（全くない）から１００（非常に強い感覚）。
【００９１】
ピリピリ感知覚試験の結果を図２に示す。
【００９２】
ＡＮＯＶＡ試験およびスチューデントのｔ検定の双方は、パネリストが、エレミ油、エレミ樹脂、ライムオキシドについて、参考スピラントールに比較して改善されたピリピリ感知覚を感ずることを示している。これらの結果は、統計的に有意である（ＡＮＯＶＡ：Ｆ比＝１９．２９：ｐ＜０．００１；ｔ検定：アルファ＝０．０５）。スチューデントのｔ検定は、スピラントールが全くほとんど効果のない明らかに弱いピリピリ感剤であるのに対し、本発明の３つのピリピリ感剤が非常にピリピリ感性であることを示している。
【００９３】
評価の第２の部分では、パネリストは、より弱いピリピリ感剤（ランク１）からより強いピリピリ感剤（ランク４）まで、化学感覚剤をランク付けする。以下のようにランキングについての平均値が得られる：
−スピラントール：平均ランク＝１．１５０、
−エレミ樹脂：平均ランク＝２．２５０、
−エレミ油：平均ランク＝２．２５０、および
−ライムオキシド：平均ランク＝３．３５０。
【００９４】
フリードマン検定は、素材が異なってランクされていることを示す（ｐ＜０．００１）。
【００９５】
ネメンニ（Ｎｅｍｅｎｙｉ）多重比較検定は、エレミ油、エレミ樹脂、ライムオキシドが、参考スピラントールよりも有意によりピリピリ感性として知覚されることを示す。
【００９６】
例３
イソプレゴールとメントキシプロパンジオールとの間のピリピリ感効果の比較
イソプレゴール（Ｃｏｏｌａｃｔ（登録商標）Ｐとして市販）とメントキシプロパンジオール（ＣＡＳ  ８７０６１−０４−９、Ｃｏｏｌａｃｔ（登録商標）１０として市販）との間の比較試験に参加するため、８０名のパネリストが選ばれた。
【００９７】
イソプレゴールおよびメントキシプロパンジオールの試料は、クエン酸トリエチル（ＴＥＣ）中で３％に希釈することにより調製した。
【００９８】
参加者は、彼らが鼻においてピリピリ感覚を知覚したかどうかを、０（無感覚）から＋１００（極めてピリピリ感性）のスケールでスコア付けしなければならなかった。
【００９９】
ＡＮＯＶＡ試験およびスチューデントのｔ検定の双方は、パネリストが、イソプレゴール（Ｃｏｏｌａｃｔ（登録商標）Ｐとして市販）について、メントキシプロパンジオール（Ｃｏｏｌａｃｔ（登録商標）１０）に比較して改善されたピリピリ感知覚を感じたことを示している。これらの結果は、統計的に有意である（ＡＮＯＶＡ：Ｆ比＝４４．８０：ｐ＜０．０５；ｔ検定：アルファ＝０．０５）。
【０１００】
驚くべきことに結果は、Ｃｏｏｌａｃｔ（登録商標）１０（皮膚への冷感剤として知られる）が、イソプレゴール（Ｃｏｏｌａｃｔ（登録商標）Ｐ）に比較してより低いピリピリ感知覚をもたらすことを示している。
【０１０１】
例４
フレグランスにおけるピリピリ感知覚試験
２０名のパネリストが選ばれ、フレグランスＦ２（表３参照）と、エレミ油（表４参照）で、ライムオキシド（表５参照）で、またはイソプレゴール（表６参照）で強化された別のフレグランスＦ１（表２参照）との間の比較試験に参加した。溶液は、クエン酸トリエチル（ＴＥＣ）中の３％溶液として調製した。
【０１０２】
パネリストは個別に、ランダムな順序で提示された際に次々と試料の匂いをかいで、いかに強いピリピリ感覚が知覚されたかを、０（全く無感覚）から１００（非常に強い感覚）のスケールでスコア付けしなければならなかった。
【０１０３】
【表２】
2019507614.tif 000003
【０１０４】
【表３】
2019507614.tif 000004
【０１０５】
【表４】
2019507614.tif 000005
【０１０６】
【表５】
2019507614.tif 000006
【０１０７】
【表６】
2019507614.tif 000007
【０１０８】
平均パネルスコアを以下の表７に示す。
【０１０９】
【表７】
2019507614.tif 000008
【０１１０】
このデータについて、フレグランスおよびパネリストを因子としかつ温感スコアを変数として実行されたＡＮＯＶＡ分析は、有意な結果を示した（ＡＮＯＶＡ：Ｆ比＝９．１２：ｐ＜０．０１）。多重比較検定スチューデントのＴ検定は、Ｆ２を用いた双方の混合物がＦ１よりも温かく知覚されたことを示した（ｔ検定：アルファ＝０．０５）。
【０１１１】
例５
フレグランスにおける温感知覚試験
２０名のパネリストが選ばれ、実施例４で定義されたようなフレグランスＦ１と、バニリルエチルエーテル（Ｈｏｔａｃｔ（登録商標）ＶＥＥ）（表８参照）で、またはバニリルブチルエーテル（Ｈｏｔａｃｔ（登録商標）ＶＢＥ）（表９参照）で強化された、別のフレグランスＦ２との間の比較試験に参加した。溶液はＴＥＣ中で３％で調製された。
【０１１２】
パネリストは、ランダムな順序で提示された際に次々と試料の匂いをかいで、試料が温かかったか否かを、０（全く無感覚）から１００（非常に強い感覚）のスケールでスコア付けしなければならなかった。
【０１１３】
【表８】
2019507614.tif 000009
【０１１４】
【表９】
2019507614.tif 000010
【０１１５】
スコアリングの平均を以下の表１０に示した。
【０１１６】
【表１０】
2019507614.tif 000011
【０１１７】
このデータについて、フレグランスおよびパネリストを因子としかつ温感スコアを変数として実行されたＡＮＯＶＡ分析は、有意な結果を示した（ＡＮＯＶＡ：Ｆ比＝４．７０：ｐ＜０．０５）。多重比較検定スチューデントのＴ検定は、Ｆ２を用いた双方の混合物がＦ１よりも温かく知覚されたことを示した（ｔ検定：アルファ＝０．０５）。
【０１１８】
例６
ＴＲＰＡ１およびＴＲＰＶ１応答についての試験
以下は、フレグランス成分が、ピリピリ感および温感感覚にそれぞれ関連するＴＲＰＡ１およびＴＲＰＶ１受容体に対し、応答を示すかどうかの測定に用いられる試験プロトコールである。全ての場合、反応はハイスループットスクリーニング装置を用いた蛍光イメージングにより測定される。
【０１１９】
受容体ＴＲＰＡ１に対するスクリーニングのための方法：
ヒトＴＲＰＡ１を用いて安定にトランスフェクトされたＨＥＫ−２９３（ヒト胎児腎臓）細胞を、アール塩平衡塩類溶液（Ｌｏｎｚａカタログ番号ＢＥ１２−１２５Ｆ）、５ｍＬの２００ｍＭウルトラグルタミン（Ｕｌｔｒａｇｌｕｔａｍｉｎｅ）１（Ｌｏｎｚａカタログ番号ＢＥ１７−６０５Ｅ／Ｕ１）、５ｍＬの１００Ｘペニシリン／ストレプトマイシン（Ｌｏｎｚａカタログ番号ＤＥ−１７−６０２Ｅ）、５０ｍＬのウシ胎児血清（Ｅｕｒｏｃｌｏｎｅカタログ番号ＥＣＳ０１８０Ｌ）、２ｍＬの１００ｍｇ／ｍＬ硫酸ゲンタマイシン（Ｇ４１８硫酸塩  ＩｎｖｉｂｏＧｅｎ  ＣａｔＡｎｔ−ｇｎ−５）を加えたＥＭＥＭ（イーグル最小必須培地）の培地中で増殖させた。
【０１２０】
１０，０００細胞／ウェルを、３８４ＭＴＰにおいて完全培地中に播種した。次いで、２４時間後に培地を手作業により除去した。細胞に、２０μＬ／ウェルの、標準的なタイロード緩衝液（ＡＡＴ  Ｂｉｏｑｕｅｓｔカタログ番号２６３１６により供給されたＳｃｒｅｅｎ  ＱｕｅｓｔＴＭＦｌｕｏ−８  無洗浄カルシウムアッセイキット）中の０．５ｘ  Ｆｌｕｏ−８ＮＷ色素を負荷した。プレートを暗中で、室温で１時間インキュベートした。１０μＬ／ウェルの試験化学感覚剤を、ＦＬＩＰＲＴＥＴＲＡ（Ｍｏｌｅｃｕｌａｒ  Ｄｅｖｉｃｅｓ）を用いて注入しコントロールした。５２０ｎｍにおいて放射された蛍光シグナルを、３分間記録した。化合物のマルチウォールプレートは、試料を８つの異なる用量で四重のデータポイントで含有していた。試料の用量応答は、１：２の連続希釈を用いて１００％ＤＭＳＯ中１００ｍＭの濃度から開始し、そしてアッセイ緩衝液中で最終濃度１００μＭ、５０μＭ、２５μＭ、１２．５μＭ、６μＭ、３μＭ、１．５μＭ、および０．７μＭに希釈した。
【０１２１】
化合物プレートにはまた、参考アゴニストの用量応答も８つの濃度で二重に存在した。この研究では、スピラントールがＴＲＰＡ１の参考アゴニストであった。ＥＣ１００における参考アゴニストの１６ウェル（各濃度につき二重）として適用されたこれらの参考対照が、ＭＡＸシグナル応答（１００％活性）に相当した。また１６ウェルのブランク、すなわち、ＭＩＮシグナル応答（０％活性）に相当する、試験試料も参考化合物もないアッセイ緩衝液も存在した。ＭＡＸおよびＭＩＮ対照を、データ分析（ＲＺ計算）および化合物活性の標準化に使用した。
【０１２２】
データ分析のためには、応答値は、インジェクション後の動的追跡の最大シグナルからインジェクション前のポイントの中央値を差し引き、そして標準化係数（ＮＦ）を乗算することで計算した。標準化係数は、特定のウェルのベースラインで除算された、プレートの全ウェルのベースライン平均値であった。
【０１２３】
アゴニスト効果は、試験試料ウェルの応答値がＭＡＸ対照の１つに等しいレベルに達した結果を１００％活性（参考アゴニストＥＣ１００に相当する最大シグナルウェル）とし、試験ウェルの応答値がＭＩＮ対照の１つに等しいレベルに達した結果を０％活性（アッセイ緩衝液に相当する最小シグナルウェル）として、活性のパーセントとして表された。
【０１２４】
試料の活性の％を計算するために、以下の式により、応答値をＭＡＸシグナル対照およびＭＩＮシグナル対照に対し標準化して活性％を得た：
【０１２５】
【数１】
2019507614.tif 000012
【０１２６】
次に、パーセント活性で標準化されたデータを用いて、カーブフィッティングおよび、受容体の活性の５０％を生じる濃度に相当するＥＣ５０計算を実施した（データ分析ソフトウェア内のカーブフィッティングプログラム内で）。
【０１２７】
結果：
−スピラントール：ＥＣ５０＝３．５５×１０−５Ｍ
−エレミ油：ＥＣ５０＝７．０７×１０−５Ｍ（エレミ油の分子量がエレモールの分子量：２２２．４ｇ．ｍｏｌ−１に等しいと仮定して）、
−ライムオキシド：ＥＣ５０＝６．２４×１０−５Ｍ（分子量：２９０．５ｇ．ｍｏｌ−１）、
−イソプレゴール（Ｃｏｏｌａｃｔ（登録商標）Ｐ）：ＥＣ５０＝５．７０×１０−５Ｍ、
−メントキシプロパンジオール（Ｃｏｏｌａｃｔ（登録商標）１０）：ＥＣ５０＝２．００×１０−４Ｍ。
【０１２８】
これらの結果は、エレミ油、ライムオキシド、イソプレゴール（Ｃｏｏｌａｃｔ（登録商標）Ｐ）、およびメントキシプロパンジオール（Ｃｏｏｌａｃｔ（登録商標）１０）が、スピラントール（参考）に匹敵するＴＲＰＡ１のアゴニストであることを示している。
【０１２９】
エレミ油、ライムオキシド、イソプレゴール、およびメントキシプロパンジオールは、ＴＲＰＡ１を活性化することが見てとれる。ＴＲＰＡ１に対し匹敵するアゴニスト活性をもつ化合物（イソプレゴールおよびメントキシプロパンジオール）は、それにもかかわらず、匂いを嗅いだ場合、有意に異なる知覚されるピリピリ感覚を示した（実施例３参照）。
【０１３０】
受容体ＴＲＰＶ１についてのスクリーニング法：
ＴＲＰＶ１についてスクリーニングするため、ヒトＴＲＰＶ１で安定にトランスフェクトされたＣＨＯ−Ｋ１（チャイニーズハムスター卵巣）細胞を、ダルベッコ改変イーグル培地（Ｆ−１２）（１：１混合物）（Ｌｏｎｚａカタログ番号ＢＥ０４−６８７Ｆ／Ｕ１）５００ｍＬ、５ｍＬの１００ｍＭ  ピルビン酸ナトリウム、２５ｍＬの７．５％重炭酸ナトリウム、６．５ｍＬの１Ｍ  ヘぺス（４−（２−ヒドロキシエチル）−１−ピペラジンエタンスルホン酸）、５ｍＬの１００Ｘ  ペニシリン／ストレプトマイシン、５０ｍＬのウシ胎児血清、０．２５ｍＬの１０ｍｇ／ｍＬ  ピューロマイシン、０．５ｍＬの１００ｍｇ／ｍＬ  ゼオシン（Ｚｅｏｃｉｎ）、の培地中で増殖させた。
【０１３１】
ＴＲＰＶ１アッセイのための参考アゴニストは、カプサイシンであった。
【０１３２】
結果：
−カプサイシン：ＥＣ５０＝１．４０×１０−８Ｍ、
−バニリルエチルエーテル（Ｈｏｔａｃｔ（登録商標）ＶＥＥ）：ＥＣ５０＝２．１５×１０−４Ｍ、および
−バニリルブチルエーテル（Ｈｏｔａｃｔ（登録商標）ＶＢＥ）：ＥＣ５０＝７．５８×１０−６Ｍ。
【０１３３】
これらの結果は、バニリルエチルエーテル（Ｈｏｔａｃｔ（登録商標）ＶＥＥ）およびバニリルブチルエーテル（Ｈｏｔａｃｔ（登録商標）ＶＢＥ）が、ＴＲＰＶ１のアゴニストであるが、カプサイシン（参考）よりも弱いＴＲＰＶ１のアゴニストであることを示している。
【０１３４】
バニリルエチルエーテルおよびバニリルブチルエーテルのＥＣ５０はカプサイシンのそれよりも低いが、それにもかかわらず最初の２つは、匂いをかいで評価された場合、すなわち皮膚への直接的な接触なしの場合、改善された温感知覚を提供した（実施例１参照）。
【０１３５】
本発明を詳細に、またその特定の実施態様の援用により説明したが、その趣旨および範囲を逸脱することなくさまざまな変更や修正を加えることができることは当業者には明らかであろう。本願は２０１６年２月２４日出願の欧州特許出願第１６３０５２１９．４号明細書に基づき、その主題全体はここに参照として取り込まれる。
【産業上の利用可能性】
【０１３６】
本発明においては、知覚される温感および／またはピリピリ感を空気を介して送達できるが、製品自体が被験者の皮膚または粘膜に直接接触することはなく、また製品が鼻に近接する必要もない。
【図１】
2019507614.tif 000013
【図２】
2019507614.tif 000014
【国際調査報告】
2019507614.tif 000015
2019507614.tif 000016
2019507614.tif 000017
2019507614.tif 000018
2019507614.tif 000019
2019507614.tif 000020